(57)【特許請求の範囲】
【請求項１】
信号伝送路により、データ信号に先立って起動信号が伝送されるデータ伝送回路において、
前記起動信号は差動信号であって、
前記起動信号を検出することによって起動検出信号を生成する起動検出信号生成部と、
前記起動検出信号によって起動し、前記起動信号が所定時間に亘り伝送されていることを検出することによってウェークアップ信号を生成するウェークアップ信号生成部と、
基準電圧を生成する基準電圧生成部とを備え、
前記起動検出信号生成部は、
前記起動信号を構成する複数の信号の信号レベルを所定レベルにシフトするレベルシフト部と、
前記レベルシフト部によって前記所定レベルにそれぞれシフトされた前記起動信号の信号レベルと、前記基準電圧の電圧レベルとを比較する比較部と、
前記レベルシフト部と前記基準電圧生成部との間に接続されるコンデンサとを備えることを特徴とするデータ伝送回路。
【請求項２】
前記ウェークアップ信号生成部は、
前記起動信号に応じてクロック信号を生成するクロック信号生成部と、
前記クロック信号が所定時間に亘り周期的に生成されていることを検出することによってウェークアップ信号を出力するウェークアップ信号出力部と、
を備えることを特徴とする請求項１に記載のデータ伝送回路。
【請求項３】
前記起動信号は、信号レベルが交互に変化する状態が繰り返される周期信号であって、前記クロック信号生成部は、前記周期信号に基づいて前記クロック信号を生成することを特徴とする請求項２に記載のデータ伝送回路。
【請求項４】
前記ウェークアップ信号出力部は、前記クロック信号のクロック数が所定回数を超過したことを計数する計数部を備えることを特徴とする請求項２に記載のデータ伝送回路。
【請求項５】
前記データ信号は、ＩＥＥＥ１３９４規格に準拠するものであることを特徴とする請求項１に記載のデータ転送回路。
【発明の詳細な説明】
【技術分野】
【０００１】
この発明は、データ伝送回路に関する。
【０００２】
例えば、特許文献１には、マルチキャリア変調システムにおいて、単一周波数信号の受信信号（トーン信号）を検出するための技術が開示されている。特許文献１の技術は、異なる周波数の受信信号のそれぞれの周波数を検出するための単一周波数信号検出装置であって、受信信号をしきい値と比較してレベル検出を行なうレベル検出手段と、該レベル検出手段でのレベル検出におけるパルス幅を測定するパルス幅測定手段と、計時した一定時間に、前記パルス幅測定手段が測定したパルス幅に対するパルス数をカウントする計時／カウント手段と、計時／カウント手段がカウントしたパルス数から受信信号における単一周波数信号を示す検出信号を出力する周波数識別手段とを備えている。
【０００３】
また、特許文献１の技術では、上記のパルス幅測定手段が、前記レベル検出手段でのパルス幅の測定結果から設定されるパルス幅よりも短いパルスをカウントしないマスキング処理を行っている。
【０００４】
特許文献１の技術によれば、雑音が生じる短いパルスをマスキングしてカウントしないため、雑音が重畳した受信信号に対しても確実にトーン信号の検出が可能になり、良好な検出特性が得られる。
【０００５】
また、特許文献１の技術によれば、待機時は、比較器のみが動作するようにされており、待機時の消費電力が、削減されている。
【特許文献１】特開２０００−１８０４８１号公報
【発明の開示】
【発明が解決しようとする課題】
【０００６】
ところで、近年の車載用通信ネットワークにおいては、ＰＯＦ（プラスティック・オプティカル・ファイバー）を用いたＩＥＥＥ１３９４規格を利用して、トーン信号の伝送を行っている。
【０００７】
また、近年の車載用通信制御ＬＳＩにおいては、消費電力を低減する要請が高まっている。このため、上記の車載用通信制御ＬＳＩにおいては、エンジンが停止している待機時の消費電力を低減するため、待機時においては、例えば、ＰＯＦによって伝送されるトーン信号の受信部の消費電流が、２０μＡ以下に抑えられている。
【０００８】
しかしながら、ＰＯＦのデータ伝送速度が２００Ｍｂｐｓであるのに対し、銅線のデータ伝送速度は４００Ｍｂｐｓである。このため、ＰＯＦを用いたＩＥＥＥ１３９４規格と同様に、消費電力の低減を図りながら、より高速にデータ信号の伝送を行うため、銅線によって、トーン信号及びデータ信号の伝送路を形成することが望ましい。
【０００９】
ところが、ＰＯＦに比べて、銅線は、ノイズの影響を受け易い。このため、銅線によって前記トーン信号等の伝送路を形成すると、ＰＯＦによって前記トーン信号等の伝送路を形成する場合に比べて、車載用通信制御ＬＳＩの受信部は、ノイズ信号を受信し易くなることが考えられる。そこで、車載用通信制御ＬＳＩにおいては、受信部が、ノイズ信号を受信したにもかかわらず、トーン信号を受信したと誤認してしまい、車載用通信制御ＬＳＩに接続された周辺機器に、ウェークアップ信号を送信する誤動作を引き起こすことが懸念される。
【００１０】
この発明は、このような状況に鑑み提案されたものであって、待機時の消費電力の低減を図ることができると共に、ノイズ信号によって誤動作することを防止することができるデータ伝送回路を提供することを目的とする。
【課題を解決するための手段】
【００１１】
請求項１の発明に係るデータ伝送回路は、信号伝送路により、データ信号に先立って起動信号が伝送されるデータ伝送回路において、起動信号は差動信号であって、前記起動信号を検出することによって起動検出信号を生成する起動検出信号生成部と、前記起動検出信号によって起動し、前記起動信号が所定時間に亘り伝送されていることを検出することによってウェークアップ信号を生成するウェークアップ信号生成部と、基準電圧を生成する基準電圧生成部とを備える。前記起動検出信号生成部は、前記起動信号を構成する複数の信号の信号レベルを所定レベルにシフトするレベルシフト部と、前記レベルシフト部によって前記所定レベルにそれぞれシフトされた前記起動信号の信号レベルと、前記基準電圧の電圧レベルとを比較する比較部と、前記レベルシフト部と前記基準電圧生成部との間に接続されるコンデンサとを備えることを特徴とする。
【００１２】
請求項１の発明に係るデータ伝送回路によれば、ウェークアップ信号生成部は、起動検出信号生成部が、起動信号を検出することにより、起動検出信号生成部が生成する起動検出信号によって起動するため、起動信号が伝送されていない待機状態においては、ウェークアップ信号生成部は、ウェークアップ信号を生成することがない。そこで、請求項１の発明に係るデータ伝送回路によれば、待機状態においては、ウェークアップ信号生成部が、ウェークアップ信号を生成する動作を行わないため、ウェークアップ信号生成部がそれぞれ消費する電力量を、削減することができる。
また、請求項１の発明に係るデータ伝送回路によれば、ウェークアップ信号生成部は、起動信号が所定時間に亘り伝送されていることを検出することによってウェークアップ信号を生成している。そこで、請求項１の発明に係るデータ伝送回路によれば、所定時間に亘り検出される起動信号とは異なり、突発的に発生することがあるノイズ信号に反応して、ウェークアップ信号生成部が、ウェークアップ信号を生成することがない。したがって、請求項１の発明に係るデータ伝送回路によれば、ノイズ信号を検出したにもかかわらず、起動信号を検出したと誤認して、ウェークアップ信号生成部が、ウェークアップ信号を生成することを防止することができる。
【００１３】
【００１４】
【発明の効果】
【００１５】
本発明のデータ伝送回路によれば、起動信号が伝送されていない待機状態においては、ウェークアップ信号を生成することがない。さらに、起動信号が所定時間に亘り伝送されていることを検出することによってウェークアップ信号を生成するため、前記起動信号が伝送されていない待機状態においては、ウェークアップ信号を生成することがない。そこで、本発明のデータ伝送回路及びその制御方法によれば、待機状態においては、ウェークアップ信号が生成されることがないため、ウェークアップ信号の生成に伴って消費する電力量を、削減することができる。
【発明を実施するための最良の形態】
【００１６】
＜実施形態１＞
本発明の実施形態１を、図１ないし図６を参照しつつ説明する。ここでは、本発明のデータ伝送回路を、通信制御ＬＳＩ１０に搭載された信号処理回路４０を例に挙げて説明する。図１は、通信制御ＬＳＩ１０と周辺機器との信号の送受信状態を説明する図である。通信制御ＬＳＩ１０は、図示するように、信号送信回路２０と、信号受信回路３０とを備えている。
【００１７】
信号送信回路２０は、該信号送信回路２０に接続されたＩＥＥＥ１３９４ケーブル５０によって、差動のデータ信号Ｓ１Ａ、Ｓ１Ｂを、周辺機器（例えば、ＤＶＤプレーヤー）に送信する。ここでは、ＩＥＥＥ１３９４ケーブル５０が、銅線ケーブルによって形成されている。本実施形態では、ＩＥＥＥ１３９４ケーブルが、ＩＥＥＥ１３９４ソケットによって、信号送信回路２０に着脱可能とされている。
【００１８】
信号受信回路３０は、低消費電力動作が可能な信号処理回路４０を備えている。信号処理回路４０は、電源電圧ＶＣＣ１によって、常時通電状態が保たれている。信号処理回路４０では、ＩＥＥＥ１３９４ケーブル５０によって伝送される差動のトーン信号Ｓ２Ａ、Ｓ２Ｂを受信する前の待機状態においては、消費電流が、２０μＡ以下に抑えられている。ＩＥＥＥ１３９４ケーブル５０は、ＩＥＥＥ１３９４ソケットによって、信号処理回路４０に着脱可能とされている。ＩＥＥＥ１３９４ケーブル５０は、本発明の信号伝送路に相当する。信号伝送路は、差動伝送路である。差動のトーン信号Ｓ２Ａ、Ｓ２Ｂは、本発明の起動信号に相当する。
【００１９】
信号処理回路４０は、後述するように、ウェークアップ信号Ｓ１０を生成する。ウェークアップ信号Ｓ１０は、マイクロコントローラ６０や電源供給回路７０に送信される。電源供給回路７０は、ウェークアップ信号Ｓ１０を受信した後に、電源電圧ＶＣＣ２を、通信制御ＬＳＩ１０に供給する。
【００２０】
図２は、信号処理回路４０の回路構成図である。信号処理回路４０は、本発明のデータ伝送回路に相当する。信号処理回路４０は、図示するように、比較器ＣＯＭＰ１と、比較器ＣＯＭＰ２と、スイッチＳＷ１と、ウェークアップ信号出力部４１と、比較器ＣＯＭＰ３とを備えている。比較器ＣＯＭＰ２及びウェークアップ信号出力部４１は、本発明のウェークアップ信号生成部に相当する。
【００２１】
各比較器ＣＯＭＰ１〜ＣＯＭＰ３の非反転入力端子（＋）及び反転入力端子（−）は、前記ＩＥＥＥ１３９４ケーブル５０に接続されている。モード信号Ｓ２０は、比較器ＣＯＭＰ１のパワーダウン制御端子（ＩＮ１）に入力される。比較器ＣＯＭＰ１の出力は、比較器ＣＯＭＰ２のパワーダウン制御端子（ＩＮ２）に接続されている。さらに、比較器ＣＯＭＰ１の出力は、ウェークアップ信号出力部４１が備えるカウンタ４２のリセット端子（Ｒ）に接続されている。
【００２２】
比較器ＣＯＭＰ２の出力は、スイッチＳＷ１を介し、前記カウンタ４２のクロック端子（ＣＫ）に接続されている。スイッチＳＷ１は、信号処理回路４０内で生成されるモード信号Ｓ２０によって、開閉される。モード信号Ｓ２０は、比較器ＣＯＭＰ３のパワーダウン制御端子（ＩＮ３）に入力される。
【００２３】
ウェークアップ信号出力部４１は、前記カウンタ４２に加えて、ラッチ回路４３を備えている。ラッチ回路４３の入力は、カウンタ４２の出力端子（Ｑ）に接続されている。ウェークアップ信号出力部４１は、本発明のウェークアップ信号出力部に相当する。
【００２４】
図３は、図２に図示する比較器ＣＯＭＰ１の回路構成図である。比較器ＣＯＭＰ１は、カップリングコンデンサＣ１、Ｃ２と、レベルシフト回路４５と、比較器ＣＯＭＰ１Ａとを備えている。本実施形態では、比較器ＣＯＭＰ１Ａが、本発明の比較部に相当する。
【００２５】
カップリングコンデンサＣ１は、比較器ＣＯＭＰ１Ａの第１非反転入力端子（＋）と前記比較器ＣＯＭＰ１の非反転入力端子（＋）との間に接続されている。カップリングコンデンサＣ２は、比較器ＣＯＭＰ１Ａの第２非反転入力端子（＋）と前記比較器ＣＯＭＰ１の反転入力端子（−）との間に接続されている。
【００２６】
次に、本実施形態の信号処理回路４０の動作を説明する。図４は、信号処理回路４０の動作を説明するタイミングチャートである。図中の時刻Ｔ１よりも前の時刻においては、車両のエンジンが停止した状態（待機状態）であり、信号処理回路４０の消費電流が２０μＡ以下に抑えられた超低消費電力モードに設定されている。時刻Ｔ１において、差動のトーン信号Ｓ２Ａ、Ｓ２Ｂが、比較器ＣＯＭＰ１（図２参照。）の非反転入力端子（＋）及び反転入力端子（−）にそれぞれ入力される。差動のトーン信号Ｓ２Ａ、Ｓ２Ｂの直流成分は、カップリングコンデンサＣ１、Ｃ２によって、それぞれカットされる。なお、本実施形態のトーン信号Ｓ２Ａ、Ｓ２Ｂは、周波数が４８〜６４ＭＨｚ、振幅が２００ｍＶ〜８００ｍＶである。差動のトーン信号Ｓ２Ａ、Ｓ２Ｂは、極性が交互に周期的に変化する信号である。また、差動のトーン信号Ｓ２Ａ、Ｓ２Ｂは、所定の時間（６６６μｍ）に亘り、ＩＥＥＥ１３９４ケーブル５０を通じて、比較器ＣＯＭＰ１の非反転入力端子（＋）及び反転入力端子（−）にそれぞれ送信される。
【００２７】
その後、レベルシフト回路４５（図３参照。）において、抵抗Ｒ１〜抵抗Ｒ３が、直流入力電圧ＶＩＮを分圧し、基準電圧ＶＲＥＦ及びバイアス電圧ＶＢを生成する。バイアス電圧ＶＢは、トーン信号Ｓ２Ａ、Ｓ２Ｂにそれぞれ加算され、レベルシフト電圧ＶＢ１、ＶＢ２が生成される。レベルシフト電圧ＶＢ１、ＶＢ２の値は、比較器ＣＯＭＰ１Ａの許容動作電圧値に引き上げられる。抵抗Ｒ４〜抵抗Ｒ７は、基準電圧ＶＲＥＦ及びバイアス電圧ＶＢの変動を抑えるために用いられている。本実施形態では、レベルシフト回路４５が、本発明のレベルシフト部に相当する。また、バイアス電圧ＶＢがトーン信号Ｓ２Ａ、Ｓ２Ｂにそれぞれ加算され、レベルシフト電圧ＶＢ１、ＶＢ２を生成することは、本発明のレベルシフトステップに相当する。
【００２８】
続いて、比較器ＣＯＭＰ１Ａは、基準電圧ＶＲＥＦとレベルシフト電圧ＶＢ１とを比較すると共に、基準電圧ＶＲＥＦとレベルシフト電圧ＶＢ２とを比較する。図５は、比較器ＣＯＭＰ１Ａの回路構成図である。基準電圧ＶＲＥＦとレベルシフト電圧ＶＢ１とを比較すると共に、基準電圧ＶＲＥＦとレベルシフト電圧ＶＢ２とを比較することは、本発明の比較ステップに相当する。
【００２９】
図５に図示するように、Ｎ型チャンネルトランジスタＭ１〜Ｍ３によって、カレントミラー回路が形成されている。符号Ｒ８は、抵抗である。また、Ｐ型チャンネルトランジスタＭ４、Ｍ５、Ｎ型チャンネルトランジスタＭ７〜Ｍ９及びＮ型チャンネルトランジスタＭ２によって、差動回路４７が形成されている。さらに、差動回路４７の出力（ＯＵＴ１）は、比較器ＣＯＭＰ１Ａの出力（ＯＵＴ）に接続されている。Ｎ型チャンネルトランジスタＭ３は、Ｐ型チャンネルトランジスタＭ６を介し、電源電圧ＶＣＣ１を供給する電源ラインに接続されている。抵抗Ｒ９及びコンデンサＣ３は、位相補償用回路を形成している。
【００３０】
比較器ＣＯＭＰ１Ａでは、Ｎ型チャンネルトランジスタＭ８のゲートに、レベルシフト電圧ＶＢ１が印加される。さらに、Ｎ型チャンネルトランジスタＭ９のゲートに、レベルシフト電圧ＶＢ２が印加される。Ｎ型チャンネルトランジスタＭ７のゲートには、基準電圧ＶＲＥＦが印加される。レベルシフト電圧ＶＢ１の値もしくはレベルシフト電圧ＶＢ２の値の内のいずれかが、基準電圧ＶＲＥＦの値よりも大きい場合には、Ｎ型チャンネルトランジスタＭ８を流れる電流Ｉ１もしくはＮ型チャンネルトランジスタＭ９を流れる電流Ｉ２が増加する。これにより、差動回路４７の出力（ＯＵＴ１）を通じ、電流Ｉ３が、出力（ＯＵＴ）に向けて流れる。このため、図４に図示するように、時刻Ｔ２において、比較器ＣＯＭＰ１は、前記出力（ＯＵＴ）を通じ、トーン信号検出信号Ｓ３０を出力する。図中の符号ＩＲＥＦは、Ｎ型チャンネルトランジスタＭ７を流れる電流である。本実施形態では、トーン信号検出信号Ｓ３０が、本発明の起動検出信号に相当する。比較器ＣＯＭＰ１は、本発明の起動検出信号生成部に相当する。また、レベルシフト電圧ＶＢ１の値もしくはレベルシフト電圧ＶＢ２の値の内のいずれかが、基準電圧ＶＲＥＦの値よりも大きい場合に、トーン信号検出信号Ｓ３０を出力することは、本発明の起動検出信号生成ステップに相当する。
【００３１】
トーン信号検出信号Ｓ３０は、図２に図示するように、比較器ＣＯＭＰ２のパワーダウン制御端子（ＩＮ２）に入力される。トーン信号検出信号Ｓ３０が、パワーダウン制御端子（ＩＮ２）に入力されると、比較器ＣＯＭＰ２は、超低消費電力モードの状態が解除される。これにより、比較器ＣＯＭＰ２は、動作状態になる。
【００３２】
その後、比較器ＣＯＭＰ２は、非反転入力端子（＋）及び反転入力端子（−）に入力される差動のトーン信号Ｓ２Ｂ、Ｓ２Ｂ（図２参照。）により、図４に図示する時刻Ｔ３から、クロック信号ＣＬＫの生成を開始する。本実施形態では、比較器ＣＯＭＰ２が、本発明のクロック信号生成部に相当する。また、差動のトーン信号Ｓ２Ａ、Ｓ２Ｂにより、クロック信号ＣＬＫを生成することは、本発明のクロック信号生成ステップに相当する。ＩＥＥＥ１３９４ケーブル５０を通じて送信させる差動のトーン信号Ｓ２Ａ、Ｓ２Ｂに基づいて、ウェークアップ信号Ｓ１０を出力することは、本発明のウェークアップ信号生成ステップに相当する。
【００３３】
スイッチＳＷ１は、超低消費電力モードを示すハイレベルのモード信号Ｓ２０によって、閉鎖状態に制御される。これにより、クロック信号ＣＬＫは、ウェークアップ信号出力部４１が備えるカウンタ４２のクロック端子（ＣＫ）に入力される。
【００３４】
図２に図示するように、カウンタ４２のリセット端子（Ｒ）には、トーン信号検出信号Ｓ３０が入力される。これにより、カウンタ４２のリセット状態が解除される。カウンタ４２は、定められたカウント数（ここではＮ回、図４参照。）に到達するまで、クロック信号ＣＬＫのクロック数を計測する。カウンタ４２は、本発明の計数部に相当する。
【００３５】
クロック信号ＣＬＫのクロック数が、Ｎ回に到達すると、時刻Ｔ４において、カウンタ４２は、ウェークアップ信号Ｓ１０を、ラッチ回路４３に出力する。ラッチ回路４３は、ウェークアップ信号Ｓ１０を、ラッチ出力する。クロック信号ＣＬＫのクロック数が、Ｎ回に到達することにより、ウェークアップ信号Ｓ１０を出力することは、本発明のウェークアップ信号出力ステップに相当する。
【００３６】
ラッチ回路４３は、通常消費電力モードを示すローレベルのモード信号Ｓ２０（図４参照。）によって、ラッチが解除される。これにより、ウェークアップ信号Ｓ１０が、マイクロコントローラ６０や電源供給回路７０（図１参照。）に送信されることがない。
【００３７】
また、図２に図示するように、超低消費電力モードを示すハイレベルのモード信号Ｓ２０は、比較器ＣＯＭＰ３のパワーダウン制御端子（ＩＮ３）に入力される。これにより、比較器ＣＯＭＰ３は、パワーダウン状態になる。したがって、超低消費電力モードにおいては、比較器ＣＯＭＰ３は動作しない。なお、比較器ＣＯＭＰ３は、超低消費電力モードにおいては、電源供給停止状態に制御してもよい。
【００３８】
一方、比較器ＣＯＭＰ３は、通常消費電力モードを示すローレベルのモード信号Ｓ２０がパワーダウン制御端子（ＩＮ３）に入力されると、動作状態になる。これにより、比較器ＣＯＭＰ３は、非反転入力端子（＋）にローレベルのデータ信号Ｓ３Ａが入力されると共に、反転入力端子（−）にハイレベルのデータ信号ＳＳＢが入力されることにより、ローレベルの信号Ｓ３Ｃを出力する。また、比較器ＣＯＭＰ３は、非反転入力端子（＋）にハイレベルのデータ信号Ｓ３Ａが入力されると共に、反転入力端子（−）にローレベルのデータ信号ＳＳＢが入力されることにより、ハイレベルの信号Ｓ３Ｃを出力する。
【００３９】
続いて、図６を用いることにより、通信制御ＬＳＩ１０を備えた機器が接続されたネットワークの構成例を説明する。図６には、ナビゲーション装置８０と、ＤＶＤプレーヤ８１と、リアディスプレイ装置８２、８３とによって、ネットワークを構成する例を示す。
【００４０】
ナビゲーション装置８０は、ネットワーク電源制御部８０Ａと、ＩＥＥＥ１３９４制御部８０Ｂとを備えている。ＩＥＥＥ１３９４制御部８０Ｂは、前述した通信制御ＬＳＩ１０を備えている。符号８０Ｃ、８０Ｄは、ポートを示す。
【００４１】
ＤＶＤプレーヤ８１は、ＩＥＥＥ１３９４制御部８１Ａと、電源制御部８１Ｂとを備えている。ＩＥＥＥ１３９４制御部８１Ａは、通信制御ＬＳＩ１０を備えている。符号８１Ｃ、８１Ｄは、ポートを示す。
【００４２】
リアディスプレイ装置８２は、ＩＥＥＥ１３９４制御部８２Ａと、電源制御部８２Ｂとを備えている。ＩＥＥＥ１３９４制御部８２Ａは、通信制御ＬＳＩ１０を備えている。符号８２Ｃ、８２Ｄは、ポートを示す。
【００４３】
リアディスプレイ装置８３は、ＩＥＥＥ１３９４制御部８３Ａと、電源制御部８３Ｂとを備えている。ＩＥＥＥ１３９４制御部８３Ａは、通信制御ＬＳＩ１０を備えている。符号８３Ｃ、８３Ｄは、ポートを示す。
【００４４】
ＩＥＥＥ１３９４制御部８０Ｂのポート８０Ｃは、ＩＥＥＥ１３９４ケーブル５０によって、ＩＥＥＥ１３９４制御部８１Ａのポート８１Ｄに接続されている。また、ＩＥＥＥ１３９４制御部８０Ｂのポート８０Ｄは、ＩＥＥＥ１３９４ケーブル５０によって、ＩＥＥＥ１３９４制御部８２Ａのポート８２Ｃに接続されている。さらに、ＩＥＥＥ１３９４制御部８１Ａのポート８１Ｃは、ＩＥＥＥ１３９４制御部８３Ａのポート８３Ｃに接続されている。
【００４５】
以下に、図６のネットワークを構成する各装置が超消費電力モードから通常消費電力モードに移行する動作を説明する。図示のネットワークでは、車両のエンジンが停止した状態（待機状態）においては、超低消費電力モードに設定されている。車両のエンジンのイグニッションスイッチがオンになると、ナビゲーション装置８０のネットワーク電源制御部８０Ａが起動する。これにより、ナビゲーション装置８０に電力が供給される。さらに、ネットワーク電源制御部８０Ａは、ＩＥＥＥ１３９４制御部８０Ｂに、ウェークアップ指令信号Ｓ４０を送信する。
【００４６】
その後、ＩＥＥＥ１３９４制御部８０Ｂは、ポート８０Ｃ及びＩＥＥＥ１３９４ケーブル５０を通じ、差動のトーン信号Ｓ２Ａ、Ｓ２Ｂを、ＤＶＤプレーヤのＩＥＥＥ１３９４制御部８１Ａ及びリアディスプレイ装置８２のＩＥＥＥ１３９４制御部８２Ａにそれぞれ送信する。
【００４７】
ＩＥＥＥ１３９４制御部８１Ａは、実施形態１において説明したように、ウェークアップ信号Ｓ１０を出力する。ウェークアップ信号Ｓ１０は、電源制御部８１Ｂに送信される。電源制御部８１Ｂは、ウェークアップ信号Ｓ１０を受信することにより、ＤＶＤプレーヤ８１に電力を供給する。加えて、ＩＥＥＥ１３９４制御部８１Ａは、ポート８１Ｄ及びＩＥＥＥ１３９４ケーブル５０を通じ、ＩＥＥＥ１３９４制御部８０Ｂに、トーン信号Ｓ２Ｃ、Ｓ２Ｄを送信する。ＩＥＥＥ１３９４制御部８０Ｂは、トーン信号Ｓ２Ｃ、Ｓ２Ｄを受信することにより、ナビゲーション装置８０とＤＶＤプレーヤ８１との間の伝送路が確立したことを確認する。
【００４８】
ＩＥＥＥ１３９４制御部８２Ａについても、上記のＩＥＥＥ１３９４制御部８１Ａと同様に、ウェークアップ信号Ｓ１０を、電源制御部８２Ｂに送信する。これにより、電源制御部８２Ｂは、リアディスプレイ装置８２に電力を供給する。ＩＥＥＥ１３９４制御部８２Ａは、上記のＩＥＥＥ１３９４制御部８１Ａと同様に、ポート８２Ｃ及びＩＥＥＥ１３９４ケーブル５０を通じ、ＩＥＥＥ１３９４制御部８０Ｂに、トーン信号Ｓ２Ｃ、Ｓ２Ｄを送信する。
【００４９】
さらに、ＩＥＥＥ１３９４制御部８１Ａは、ポート８１Ｃ及びＩＥＥＥ１３９４ケーブル５０を通じ、前記トーン信号Ｓ２Ａ、Ｓ２Ｂを、リアディスプレイ装置８３のＩＥＥＥ１３９４制御部８３Ａに送信する。
【００５０】
ＩＥＥＥ１３９４制御部８３Ａは、ウェークアップ信号Ｓ１０を、電源制御部８３Ｂに送信する。これにより、電源制御部８３Ｂは、リアディスプレイ装置８３に電力を供給する。ＩＥＥＥ１３９４制御部８３Ｂは、ポート８３Ｃ及びＩＥＥＥ１３９４ケーブル５０を通じ、ＩＥＥＥ１３９４制御部８１Ａに、トーン信号Ｓ２Ｃ、Ｓ２Ｄを送信する。
【００５１】
図示のネットワークでは、上述した動作により、ナビゲーション装置８０とリアディスプレイ装置８２との伝送路が確立すると共に、ナビゲーション装置８０からＤＶＤプレーヤ８１を通じてリアディスプレイ装置８３に至る伝送路が確立する。その結果として、超消費電力モードから通常消費電力モードに移行する動作が完了する。
【００５２】
＜実施形態１の効果＞
本実施形態の信号処理回路４０及びその制御方法によれば、比較器ＣＯＭＰ１は、レベルシフト電圧ＶＢ１の値もしくはレベルシフト電圧ＶＢ２の値の内のいずれかが、基準電圧ＶＲＥＦの値よりも大きい場合に、差動のトーン信号Ｓ２Ａ、Ｓ２Ｂが、比較器ＣＯＭＰ１に入力されたと判断し、比較器ＣＯＭＰ１は、トーン信号検出信号Ｓ３０を出力する。比較器ＣＯＭＰ２では、トーン信号検出信号Ｓ３０により、動作電源電圧が供給されるため、トーン信号Ｓ２Ａ、Ｓ２Ｂが、ＩＥＥＥ１３９４ケーブル５０によって伝送されていない待機状態においては、動作電源電圧が供給されておらず、クロック信号ＣＬＫを生成することがない。さらに、ウェークアップ信号出力部４１は、クロック信号ＣＬＫのクロック数が、定められたカウント数（ここではＮ回）に到達するまでは、ウェークアップ信号Ｓ１０を出力することがない。そこで、クロック信号ＣＬＫを生成しない待機状態においては、ウェークアップ信号出力部４１は、ウェークアップ信号Ｓ１０を出力することがない。したがって、本実施形態の信号処理回路４０及びその制御方法によれば、待機状態においては、比較器ＣＯＭＰ２やウェークアップ信号出力部４１が、クロック信号ＣＬＫやウェークアップ信号Ｓ１０を生成することがないため、比較器ＣＯＭＰ２やウェークアップ信号出力部４１がそれぞれ消費する電力量を、削減することができる。
また、本実施形態の信号処理回路４０及びその制御方法によれば、カウンタ４２によって、クロック信号ＣＬＫのクロック数が、定められたカウント数（ここではＮ回）に到達すると、ウェークアップ信号出力部４１のカウンタ４２が、ウェークアップ信号Ｓ１０を出力する。そこで、本実施形態の信号処理回路４０及びその制御方法によれば、周期信号であるクロック信号ＣＬＫとは異なり、突発的に発生することがあるノイズ信号に反応して、ウェークアップ信号出力部４１が、ウェークアップ信号Ｓ１０を出力することがない。したがって、本実施形態の信号処理回路４０及びその制御方法によれば、ノイズ信号を差動のトーン信号Ｓ２Ａ、Ｓ２Ｂと誤認して、ウェークアップ信号出力部４１が、ウェークアップ信号Ｓ１０を出力することを防止することができる。
【００５３】
本実施形態の信号処理回路４０及びその制御方法によれば、比較器ＣＯＭＰ２は、極性が交互に周期的に変化する差動のトーン信号Ｓ２Ａ、Ｓ２Ｂに基づいて、クロック信号ＣＬＫを生成している。そこで、本実施形態の信号処理回路４０及びその制御方法によれば、比較器ＣＯＭＰ２によって生成されるクロック信号ＣＬＫを、信号レベル（ハイレベル、ローレベル）が交互に変化する状態が周期的に繰り返されるものにすることができ、クロック信号ＣＬＫの信号レベルの変化の検出を容易に行うことができる。
【００５４】
本実施形態の信号処理回路４０及びその制御方法によれば、比較器ＣＯＭＰ１が備える比較器ＣＯＭＰ１Ａが、レベルシフト回路４５によって差動のトーン信号Ｓ２Ａ、Ｓ２Ｂにバイアス電圧ＶＢが加算されたレベルシフト電圧ＶＢ１、ＶＢ２のそれぞれ値と、基準電圧ＶＲＥＦの値とを比較している。そこで、本実施形態の信号処理回路４０及びその制御方法によれば、比較器ＣＯＭＰ１Ａが、レベルシフト電圧ＶＢ１、ＶＢ２の内のいずれか一方の値が、基準電圧ＶＲＥＦの値を上回ることにより、差動のトーン信号Ｓ２Ａ、Ｓ２Ｂの検出が可能となり、該トーン信号Ｓ２Ａ、Ｓ２Ｂの検出精度を向上させることができる。図７は、比較器ＣＯＭＰ１の動作を示すタイミングチャートである。比較器ＣＯＭＰ１は、レベルシフト電圧ＶＢ１、ＶＢ２の値が、基準電圧ＶＲＥＦの値を下回る場合には、トーン信号Ｓ２Ａ、Ｓ２Ｂを検出しない。これにより、図７に図示するように、トーン信号検出信号Ｓ３０のレベルは、ローレベルになる。
【００５５】
本実施形態の信号処理回路４０及びその制御方法によれば、ウェークアップ信号出力部４１が、クロック信号ＣＬＫのクロック数がＮ回に到達したことを数えるカウンタ４２を備えると、周期信号であるクロック信号ＣＬＫとは異なり、突発的に発生するノイズ信号に対しては、カウンタ４２は、カウント数がＮ回に到達したことを数えることがない。そこで、本実施形態の信号処理回路４０及びその制御方法によれば、突発的に発生するノイズ信号に対しては、カウンタ４２のカウント数がＮ回に到達することがないため、ウェークアップ信号出力部４１が誤動作することを防止することができる。
【００５６】
本実施形態の信号処理回路４０及びその制御方法によれば、差動のデータ信号Ｓ１Ａ、Ｓ１Ｂが、ＩＥＥＥ１３９４規格に準拠するものであるため、ＩＥＥＥ１３９４規格のデータ転送速度特性を利用して、前記データ信号Ｓ１Ａ、Ｓ１Ｂを高速で伝送することができる。
【００５７】
本実施形態の信号処理回路４０及びその制御方法によれば、信号処理回路４０が、ＩＥＥＥ１３９４ケーブル５０によって伝送される差動のトーン信号Ｓ２Ａ、Ｓ２Ｂを受信するため、該トーン信号Ｓ２Ａ、Ｓ２Ｂに基づいて、最大データ転送速度の確認を行うことができる。
【００５８】
＜実施形態２＞
本発明の実施形態２を、図８を参照しつつ説明する。ここでは、実施形態１と同一の構成は同一の符号を付し、その説明を省略する。図８は、図２に図示した比較器ＣＯＭＰ１の他の実施形態を示す図である。図８に図示する比較器ＣＯＭＰ１は、実施形態１の構成に加えて、コンデンサＣ４を備えている。
【００５９】
コンデンサＣ４は、図示するように、ノードＮ１とノードＮ２との間に接続されている。ノードＮ１は、基準電圧ＶＲＥＦを生成するノードである。ノードＮ１は、抵抗Ｒ１と抵抗Ｒ２、Ｒ３とが接続された接続点Ｐ１と、比較器ＣＯＭＰ１Ａの反転入力端子（−）との間に接続されている。上述したように、抵抗Ｒ１〜抵抗Ｒ３は、直流入力電圧ＶＩＮを分圧し、基準電圧ＶＲＥＦを生成する。したがって、抵抗Ｒ１〜抵抗Ｒ３は、基準電圧生成回路４６を形成する。基準電圧生成回路４６は、本発明の基準電圧生成部に相当する。
【００６０】
ノードＮ２は、バイアス電圧ＶＢを生成するノードである。ノードＮ２は、抵抗Ｒ３と抵抗Ｒ２、Ｒ１とが接続された接続点Ｐ２と、トーン信号Ｓ２Ａが入力される比較器ＣＯＭＰ１の非反転入力端子（＋）との間に接続されている。さらに、ノードＮ２は、接続点Ｐ２と、トーン信号Ｓ２Ｂが入力される比較器ＣＯＭＰ１の反転入力端子（−）との間に接続されている。
【００６１】
＜実施形態２の効果＞
本実施形態によれば、基準電圧ＶＲＥＦを生成するノードＮ１と、バイアス電圧ＶＢを生成を生成するノードＮ２との間を、コンデンサＣ４を介して接続すると、例えば、ノイズ信号が重畳されることによって、トーン信号Ｓ２Ａ、Ｓ２Ｂの振幅が変動した場合であっても、基準電圧ＶＲＥＦの電圧レベルを、ノード信号Ｓ２Ａ、Ｓ２Ｂの振幅にレベルシフト電圧ＶＢを加算したレベルシフト電圧ＶＢ１、ＶＢ２の電圧レベルの変動に同調させることができる。そこで、本実施形態によれば、基準電圧ＶＲＥＦの電圧レベルを、レベルシフト電圧ＶＢ１、ＶＢ２の電圧レベルと相対的な関係を持たせて変化させることができる。このため、本実施形態によれば、基準電圧ＶＲＥＦの電圧レベルとレベルシフト電圧ＶＢ１、ＶＢ２の電圧レベルとの比較結果に基づいた、トーン信号Ｓ２Ａ、Ｓ２Ｂの検出精度が低下することを防ぐことができる。
【００６２】
本発明は、上述した実施形態に限定されるものではなく、発明の趣旨を逸脱しない範囲内において構成の一部を適宜変更して実施することができる。例えば、図９に図示する信号処理回路４０Ａのように、比較器ＣＯＭＰ４を、図２に図示した比較器ＣＯＭＰ２及び比較器ＣＯＭＰ３を共通化したものとしてもよい。
【００６３】
図９に図示する信号処理回路４０Ａにおいては、論理和ゲート回路ＯＲが、比較器ＣＯＭＰ４のパワーダウン制御端子（ＩＮ４）に、論理和信号Ｓ２１を出力する。論理和ゲート回路ＯＲには、前記トーン信号検出信号Ｓ３０及び通常消費電力モード用パワーダウン制御信号Ｓ２５が入力される。信号処理回路４０Ａでは、超低消費電力モードにおいては、通常消費電力モード用パワーダウン制御信号Ｓ２５のレベルが、ローレベルに固定される。これにより、超低消費電力モードにおいては、比較器ＣＯＭＰ４のパワーダウン制御が、前記トーン信号検出信号Ｓ３０によって行われる。一方、通常消費電力モードにおいては、比較器ＣＯＭＰ１は、通常消費電力モードを示すローレベルのモード信号Ｓ２０により、パワーダウン状態になる。このため、前記トーン信号検出信号Ｓ３０のレベルは、ローレベルに固定される。そこで、通常消費電力モードにおいては、比較器ＣＯＭＰ４のパワーダウン制御が、通常消費電力モード用パワーダウン制御信号Ｓ２５によって行なわれる。
【００６４】
さらに、信号処理回路４０Ａにおいては、スイッチＳＷ１（図２参照。）に加えて、スイッチＳＷ２を備えている。スイッチＳＷ２は、データ信号の出力端子と比較器ＣＯＭＰ４との間に接続されている。スイッチＳＷ２は、モード信号Ｓ２０によって、超低消費電力モード時には開放状態に制御され、通常消費電力モード時には閉鎖状態に制御される。
【００６５】
図９に図示する信号処理回路４０Ａによれば、比較器ＣＯＭＰ４が、図２に図示した比較器ＣＯＭＰ２及び比較器ＣＯＭＰ３を共通化したものであるため、比較器ＣＯＭＰ２及び比較器ＣＯＭＰ３をそれぞれ備える場合に比べて、信号処理回路４０Ａの占有面積を、図２の信号処理回路４０に比べて縮小することができる。
【００６６】
図１０に図示する信号生成回路４０Ｂのように、比較器ＣＯＭＰ３とＩＥＥＥ１３９４ケーブル５０との間に、スイッチＳＷ３Ａ、ＳＷ３Ｂを接続すると共に、比較器ＣＯＭＰ１とＩＥＥＥ１３９４ケーブル５０との間に、スイッチＳＷ４Ａ、ＳＷ４Ｂを接続してもよい。
【００６７】
図中の符号４５は、図３に図示したレベルシフト回路であり、符号３５は、比較器ＣＯＭＰ３のレベルシフト回路である。レベルシフト回路３５は、レベルシフト回路４５と同様に構成される。ただし、レベルシフト回路３５に用いる抵抗値は、レベルシフト回路４５に用いる抵抗値よりも小さい値に設定されている。このため、レベルシフト回路３５の消費電流は、レベルシフト回路４５の消費電流よりも大きくなる。
【００６８】
信号処理回路４０Ｂでは、超低消費電力モード時には、前記モード信号Ｓ２０によって、スイッチＳＷ３Ａ、ＳＷ３Ｂが開放状態に制御されると共に、スイッチＳＷ４Ａ、ＳＷ４Ｂが閉鎖状態に制御される。また、通常消費電力モード時には、前記モード信号Ｓ２０によって、スイッチＳＷ３Ａ、ＳＷ３Ｂが閉鎖状態に制御されると共に、スイッチＳＷ４Ａ、ＳＷ４Ｂが開放状態に制御される。
【００６９】
図１０に図示する信号処理回路４０Ｂによれば、通常消費電力モードにおいては、スイッチＳＷ３Ａ、スイッチＳＷ３Ｂを閉鎖状態に制御すると共に、スイッチＳＷ４Ａ、ＳＷ４Ｂを開放状態に制御するため、ＩＥＥＥ１３９４ケーブル５０から比較器ＣＯＭＰ３に至るデータ信号Ｓ３Ａ、Ｓ３Ｂの伝送路から、比較器ＣＯＭＰ１を切り離すことができる。そこで、信号処理回路４０Ｂでは、データ信号Ｓ３Ａ、Ｓ３Ｂの伝送路に接続される負荷を軽減させることができ、高速なデータ信号Ｓ３Ａ、Ｓ３Ｂが減衰することを抑制することができる。
【００７０】
さらに、信号処理回路４０Ｂによれば、超低消費電力モードにおいては、スイッチＳＷ３Ａ、ＳＷ３Ｂを開放状態に制御すると共に、スイッチＳＷ４Ａ、ＳＷ４Ｂを閉鎖状態に制御するため、ＩＥＥＥ１３９４ケーブル５０から比較器ＣＯＭＰ１に至るトーン信号Ｓ２Ａ、Ｓ２Ｂの伝送路から、比較器ＣＯＭＰ３を切り離すことができる。そこで、信号処理回路４０Ｂでは、比較器ＣＯＭＰ１のレベルシフト回路４５が、比較器ＣＯＭＰ３のレベルシフト回路３５が生成するバイアス電圧に応じた直流電流の影響を受けることがない。そこで、信号処理回路４０Ｂによれば、比較器ＣＯＭＰ１のレベルシフト回路４５が生成するバイアス電圧ＶＢが、前記直流電流の影響を受けて変動することを防止することができる。
【００７１】
本発明の技術思想により背景技術における課題を解決するための手段を、以下に列記する。
（付記１）  信号伝送路により、データ信号に先立って起動信号が伝送されるデータ伝送回路において、
前記起動信号を検出することによって起動検出信号を生成する（Ｓ３０）起動検出信号生成部と、
前記起動検出信号によって起動し、前記起動信号が所定時間に亘り伝送されていることを検出することによってウェークアップ信号を生成するウェークアップ信号生成部と、
を備えることを特徴とするデータ伝送回路。
（付記２）  前記ウェークアップ信号生成部は、
前記起動信号に応じてクロック信号を生成するクロック信号生成部と、
前記クロック信号が所定時間に亘り周期的に生成されていることを検出することによってウェークアップ信号を出力するウェークアップ信号出力部と、
を備えることを特徴とする付記１に記載のデータ伝送回路。
（付記３）  前記起動信号は、信号レベルが交互に変化する状態が繰り返される周期信号であって、前記クロック信号生成部は、前記周期信号に基づいて前記クロック信号を生成することを特徴とする付記２に記載のデータ伝送回路。
（付記４）  前記起動信号は差動信号であって、
前記起動検出信号生成部は、
前記差動信号を構成する複数の信号の信号レベルをそれぞれ所定レベルにシフトするレベルシフト部と、
前記レベルシフト部によって前記所定レベルにそれぞれシフトされた前記起動信号の信号レベルと、基準電圧の電圧レベルとを比較する比較部と、
を備えることを特徴とする付記１に記載のデータ伝送回路。
（付記５）  前記レベルシフト部と前記基準電圧を生成する基準電圧生成部との間は、コンデンサを介して接続されていることを特徴とする付記４に記載のデータ伝送回路。
（付記６）  前記ウェークアップ信号出力部は、前記クロック信号のクロック数が所定回数を超過したことを計数する計数部を備えることを特徴とする付記２に記載のデータ伝送回路。
（付記７）  前記データ信号は、ＩＥＥＥ１３９４規格に準拠するものであることを特徴とする付記１に記載のデータ転送回路。
（付記８）  前記起動信号はトーン信号であることを特徴とする付記３に記載のデータ伝送回路。
（付記９）  信号伝送路により、データ信号に先立って起動信号が伝送されるデータ伝送回路の制御方法において、
前記起動信号を検出することによって起動検出信号を生成する起動検出信号生成ステップと、
前記起動検出信号によって起動し、前記起動信号が所定時間に亘り伝送されていることを検出することによってウェークアップ信号を生成するウェークアップ信号生成ステップと、
を備えることを特徴とするデータ伝送回路の制御方法。
（付記１０）  前記ウェークアップ信号生成ステップは、
前記起動信号に応じてクロック信号を生成するクロック信号生成ステップと、
前記クロック信号が所定時間に亘り周期的に生成されていることを検出することによってウェークアップ信号を出力するウェークアップ信号出力ステップと、
を備えることを特徴とする付記９に記載のデータ伝送回路の制御方法。
（付記１１）  前記起動信号は、信号レベルが交互に変化する状態が繰り返される周期信号であって、前記クロック信号生成ステップは、前記周期信号に基づいて前記クロック信号を生成することを特徴とする付記１０に記載のデータ伝送回路の制御方法。
（付記１２）  前記起動信号は差動信号であって、
前記起動検出信号生成ステップは、
前記差動信号を構成する複数の信号の信号レベルをそれぞれ所定レベルにシフトするレベルシフトステップと、
前記レベルシフトステップによって前記所定レベルにそれぞれシフトされた前記起動信号の信号レベルと、基準電圧の電圧レベルとを比較する比較ステップと、
を備えることを特徴とする付記９に記載のデータ伝送回路の制御方法。
（付記１３）  前記ウェークアップ信号出力ステップは、前記クロック信号のクロック数が所定回数を超過したことを計数するステップを備えることを特徴とする付記１０に記載のデータ伝送回路の制御方法。
（付記１４）  前記データ信号は、ＩＥＥＥ１３９４規格に準拠するものであることを特徴とする付記９に記載のデータ転送回路の制御方法。
（付記１５）  前記起動信号はトーン信号であることを特徴とする付記１１に記載のデータ伝送回路の制御方法。
【図面の簡単な説明】
【００７２】
【図１】通信制御ＬＳＩと周辺機器との信号の送受信状態の説明図である。
【図２】実施形態１の信号処理回路の回路構成図である。
【図３】実施形態１の比較器ＣＯＭＰ１の回路構成図である。
【図４】信号処理回路の動作を説明するタイミングチャートである。
【図５】比較器ＣＯＭＰ１Ａの回路構成図である。
【図６】通信制御ＬＳＩを備えた機器が接続されたネットワークの構成例の説明図である。
【図７】比較器ＣＯＭＰ１の動作を説明するタイミングチャートである
【図８】実施形態２の比較器ＣＯＭＰ１の回路構成図である。
【図９】他の実施形態の信号処理回路の回路構成図である。
【図１０】さらに他の実施形態の信号処理回路の一部を示す回路構成図である。
【符号の説明】
【００７３】
４０  信号処理回路
４２  カウンタ
４５  レベルシフト回路
４６  基準電圧生成回路
５０  ＩＥＥＥ１３９４ケーブル
ＣＯＭＰ１、ＣＯＭＰ１Ａ、ＣＯＭＰ２  比較器
Ｓ２Ａ、Ｓ２Ｂ  差動のトーン信号
Ｓ１０  ウェークアップ信号
Ｓ３０  トーン信号検出信号
【図１】
0005239259.tif 000002
【図２】
0005239259.tif 000003
【図３】
0005239259.tif 000004
【図４】
0005239259.tif 000005
【図５】
0005239259.tif 000006
【図６】
0005239259.tif 000007
【図７】
0005239259.tif 000008
【図８】
0005239259.tif 000009
【図９】
0005239259.tif 000010
【図１０】
0005239259.tif 000011